(57)【特許請求の範囲】
【請求項１】
浴室に予め備えられている浴室混合栓６に接続される軟水器であって、原水を軟水化する処理剤を含む水処理手段１と、原水を貯留する原水タンク２と、前記処理剤の再生液を供給する再生液供給手段３とを備え、前記水処理手段１の下部に原水ライン５と再生排液ライン１９とを接続するとともに、上部に軟水ライン８を接続し、前記原水タンク２の下部に原水流下ライン１５を接続するとともに、前記再生液供給手段３の下部に飽和再生液流下ライン１４を接続し、この飽和再生液流下ライン１４と前記原水流下ライン１５とを合流させた再生液流下ライン１６を前記水処理手段１の上方において前記軟水ライン８と接続し、さらに前記原水タンク２と前記再生液供給手段３とを、前記原水タンク２内の原水を前記再生液供給手段３へ供給する第二補給水ライン１８を介して接続し、前記水処理手段１へ原水を流入させて軟水を供給する通水作動と、前記水処理手段１へ前記再生液を流入させて再生排液を流出させる再生作動とを切替えて行う軟水器において、前記通水作動と非通水作動とを手動により切り替え、かつ流路切替機能と止水機能を備えた通水切替手段７と、制御手段３６の再生信号に基づき前記再生作動と非再生作動とを自動的に切り替える再生切替手段３２とを備え、前記浴室混合栓６と前記通水切替手段７とを水圧検出手段１２を備えた原水ライン５を介して接続し、前記通水切替手段７と前記水処理手段１の下部とを通水検出手段１３を備えた原水ライン５を介して接続し、さらに前記水圧検出手段１２と前記浴室混合栓６との間の前記原水ライン５と、前記原水タンク２の下部とを第一補給水ライン１７を介して接続したことをことを特徴とする軟水器。
【発明の詳細な説明】
【０００１】
【発明の属する技術の分野】
この発明は、軟水器に関するものである。
【０００２】
【従来の技術】
イオン交換樹脂を使用して原水を軟水とする軟水器は、工業用や家庭用として広く使用され、たとえば特許第２６４９８２６号により小型で簡単な構造の家庭用軟水器が提案されている。この軟水器においては、原水を軟水化するイオン交換樹脂を含む水処理手段と、前記イオン交換樹脂の再生液を供給する再生液供給手段とを備え、前記水処理手段へ原水を流入させて軟水を流出させる通水作動と、前記水処理手段へ前記再生液を流入させて再生排液を流出させる再生作動とを切替えて行うように構成されている。そして、前記通水作動と前記再生作動との切替えは、バルブの自動切替えにより行い、採水するかどうかは、軟水の流出側に設けた手動の採水コックにより行うものであった。さらに、この軟水器は、通常、浴室に予め備えられている浴室混合栓に接続されて使用される。
【０００３】
しかしながら、前記通水作動と前記再生作動とを自動的に切替えているので、切替えを行うために、比較的大きい電力を必要とする。このため、切替バルブを電池で駆動するには適していないとともに、電池で駆動できたとしても、電池の消耗が激しい。
【０００４】
【発明が解決しようとする課題】
この発明は、前記通水作動と前記再生作動との切替えを小さい電力で行うことができるようにするとともに、弁操作や弁機構を簡素化することを主たる目的とするものである。
【０００５】
【課題を解決するための手段】
この発明は、前記課題を解決するためになされたものであって、請求項１に記載の発明は、浴室に予め備えられている浴室混合栓に接続される軟水器であって、原水を軟水化する処理剤を含む水処理手段と、原水を貯留する原水タンクと、前記処理剤の再生液を供給する再生液供給手段とを備え、前記水処理手段の下部に原水ラインと再生排液ラインとを接続するとともに、上部に軟水ラインを接続し、前記原水タンクの下部に原水流下ラインを接続するとともに、前記再生液供給手段の下部に飽和再生液流下ラインを接続し、この飽和再生液流下ラインと前記原水流下ラインとを合流させた再生液流下ラインを前記水処理手段の上方において前記軟水ラインと接続し、さらに前記原水タンクと前記再生液供給手段とを、前記原水タンク内の原水を前記再生液供給手段へ供給する第二補給水ラインを介して接続し、前記水処理手段へ原水を流入させて軟水を供給する通水作動と、前記水処理手段へ前記再生液を流入させて再生排液を流出させる再生作動とを切替えて行う軟水器において、前記通水作動と非通水作動とを手動により切り替え、かつ流路切替機能と止水機能を備えた通水切替手段と、制御手段の再生信号に基づき前記再生作動と非再生作動とを自動的に切り替える再生切替手段とを備え、前記浴室混合栓と前記通水切替手段とを水圧検出手段を備えた原水ラインを介して接続し、前記通水切替手段と前記水処理手段の下部とを通水検出手段を備えた原水ラインを介して接続し、さらに前記水圧検出手段と前記浴室混合栓との間の前記原水ラインと、前記原水タンクの下部とを第一補給水ラインを介して接続したことをことを特徴としている。
【０００８】
【発明の実施の形態】
つぎに、この発明の実施の形態について説明する。この発明は、一般家庭の浴室内に設置する軟水器において好適に実施できる。この軟水器にあっては、前提的構成として、原水を軟水化する処理剤を含む水処理手段と、前記処理剤の再生液を供給する再生液供給手段とを備え、前記水処理手段へ原水を流入させて軟水を流出させる通水作動と、前記水処理手段へ前記再生液を流入させて再生排液を流出させる再生作動とを切替えて行う。前記処理剤を含む水処理手段としては、たとえばイオン交換樹脂を充填した樹脂筒が用いられる。前記再生液供給手段としては、たとえば再生液としての塩水を貯留する塩水タンクが用いられる。
【０００９】
さらに、この発明の特徴的部分に関連する構成として、前記通水作動と非通水作動とを手動により切り替える通水切替手段を設けるとともに、前記再生作動と非再生作動とを自動的に切り替える再生切替手段を備えている。前記通水切替手段は、前記水処理手段に対する原水および軟水の流通経路を少なくとも通水状態と通水停止（止水）状態とに切り替えるものである。この通水状態と、止水状態とを切替えるだけの場合には、二方弁（オン−オフ弁）が用いられ、また通水状態と、止水状態と、前記水処理手段をバイパス（迂回）して原水を使用に供する原水バイパス状態とを切替えて行う場合には、三方弁（二方弁を組合わせたものでも良い）が用いられる。したがって、前記非通水状態とは、通水でない（軟水を使用に供さない）状態を云い、たとえば止水状態や、原水バイパス状態を云う。
【００１０】
また、前記再生切替手段は、前記再生液供給手段に対する再生液および再生排液の流通経路を再生状態と非再生状態とに切り替えるものである。この非再生状態とは、前記水処理手段へ再生液を流さない状態を云う。前記再生切替手段は、前記水処理手段の再生周期などの再生開始条件が満たされたとき、前記制御手段から出力される再生信号により、自動的に非再生状態から再生状態へ切り替えるものであり、たとえば電気駆動式のバルブにて構成される。
【００１１】
そして、前記水処理手段の軟水流出側には、先止め式の採水コックを設けること無く、大気開放状態としている。これにより、前記水処理手段の耐圧強度を下げることができる。また、前記再生液供給手段から前記水処理手段への再生液の供給は、重力落下による重力再生とすることにより、水道圧などの高水圧を前記水処理手段および前記再生切替手段に加えるものと比較して、前記再生切替手段に加わる圧力を減ずることができる。
【００１２】
【実施例】
以下、この発明の具体的実施例を図面に基づいて詳細に説明する。図１〜図５は、この発明に係る軟水器の実施例を示す概略説明図で、それぞれ異なる作動状態を示している。また、図６は、同実施例の制御回路の概略構成説明図であり、そして図７および図８は、同実施例の制御手順を示すフローチャート図である。
【００１３】
図１において、原水を軟水化する処理剤としてイオン交換樹脂（図示省略）を充填した水処理手段としての樹脂筒１と、原水を貯留する原水タンク２と、前記イオン交換樹脂を再生するための飽和塩水を貯留する塩水タンク３とが並列状態に設けられている。この塩水タンク３は、塩を原水にて溶解させ、飽和塩水を生成する機能を有する。前記並列設置状態において、前記樹脂筒１へ原水および飽和塩水が重力により流れるようにすべく、前記原水タンク２のオーバーフロー部４を前記樹脂筒１の前記イオン交換樹脂の充填層上端より上方位置に設けている。そして、前記樹脂筒１の下部に原水ライン５を接続し、この原水ライン５には、通水切替手段としての手動の通水切替弁７の第一切替流路（図示省略）を介在させている。さらに、前記原水ライン５の他端は、通常、浴室に予め備えられている浴室混合栓６に接続されている。すなわち、この実施例の軟水器は、前記浴室混合栓６に接続される。
【００１４】
前記樹脂筒１の上部には、軟水ライン８を接続している。この軟水ライン８には、活性炭を充填した浄水手段９と、前記樹脂筒１方向への流れを阻止する第一逆止弁１０とを設けている。前記軟水ライン８の軟水流出側には、採水をオン−オフする先止めの採水コックを設けておらず、先端をシャワーヘッド（図示省略）を介して大気開放状態としている。前記原水ライン５は、前記通水切替弁７の第二切替流路（図示省略）および原水バイパスライン１１を介して前記軟水ライン８の前記第一逆止弁１０の下流側と接続している。前記通水切替弁７は、三方切替の機能（前記第一切替流路と前記第二切替流路とを選択的に切替える機能）と、前記両切替流路の流れを遮断する止水機能とを具備している。以下、前記第一切替流路が選択されている状態を通水位置と云い、前記第二切替流路が選択されている状態を原水バイパス位置と云い、さらに前記両切替流路の流れが遮断されている状態を止水位置と云う。
【００１５】
前記原水ライン５には、原水の元圧が所定値以上かどうかを検出することで、原水元圧の有無を検出する水圧検出手段１２を前記通水切替弁７の上流側であって、前記浴室混合栓６の下流側に設けるとともに、前記原水ライン５の前記通水切替弁７から前記樹脂筒１へ至る経路の途中に、原水の前記樹脂筒１方向への流れの有無を検出する通水検出手段としての流れ検出手段１３を設けている。
【００１６】
前記原水タンク２および前記塩水タンク３の下部に対しては、それぞれ前記塩水タンク３の飽和塩水が重力により流下する飽和再生液流下ライン１４と、前記原水タンク２の原水が重力により流下する原水流下ライン１５とを接続している。前記両流下ライン１４，１５は、途中で合流して、再生液流下ライン１６を介して前記樹脂筒１上方の前記軟水ライン８と接続される。前記原水タンク２に対しては、原水を前記原水タンク２へ供給する第一補給水ライン１７を接続し、前記原水タンク２と前記塩水タンク３との間には、前記原水タンク２の原水を前記塩水タンク３へ給水する第二補給水ライン１８を接続している。前記樹脂筒１に対しては、前記樹脂筒１から再生排液を流出させる再生排液ライン１９を接続している。前記原水タンク２のオーバーフロー部４と、前記再生排液ライン１９との間は、オーバーフローライン２１にて接続されている。
【００１７】
前記飽和塩水流下ライン１４には前記塩水タンク３方向への流れを阻止する第二逆止弁２２および塩水弁２３を設け、前記原水流下ライン１５には前記原水タンク２方向への流れを阻止する第三逆止弁２４および原水弁２５を設け、前記第一補給水ライン１７にはオリフィスなどからなる第一流量調整手段２６および第一補給水弁２７を設け、前記第二補給水ライン１８には前記原水タンク２方向への流れを阻止する第四逆止弁２８および第二補給水弁２９を設けている。前記再生排液ライン１９には排液弁３０およびオリフィスなどからなる第二流量調整手段３１を接続している。
【００１８】
前記の構成において、前記第二流量調整手段３１を省略し、その代わりに前記再生排液ライン１９の他端（前記樹脂筒１に接続していない側の端部）を前記樹脂筒１よりも上方へ立ち上げ、前記樹脂筒１の上部に設けた大気開放部（図示省略）を介して再び立ち下げるように構成することができる。また、前記飽和再生液流下ライン１４と前記原水流下ライン１５とにそれぞれオリフィスなどの流量調整手段（図示省略）を設けることで、飽和塩水と原水の混合をスムーズに行わせることができる。
【００１９】
前記塩水弁２３，前記原水弁２５，前記第一補給水弁２７，前記第二補給水弁２９および前記排液弁３０は、一つの切替弁機構３２として構成される。この切替弁機構３２は、再生状態と非再生状態とを切り替える再生切替手段としての機能を含み、少なくとも図１に示す通水時の開閉状態（すべての弁が閉，すなわち塩水弁２３：閉，原水弁２５：閉，第一補給水弁２７：閉，第二補給水弁２９：閉，排液弁３０：閉）と、図２に示す補給水時の開閉状態（塩水弁２３：閉，原水弁２５：閉，第一補給水弁２７：開，第二補給水弁２９：開，排液弁３０：閉）と、図３に示す再生時の開閉状態（すべての弁が開，すなわち塩水弁２３：開，原水弁２５：開，第一補給水弁２７：開，第二補給水弁２９：開，排液弁３０：開）と、図４に示す水洗時の開閉状態（塩水弁２３：閉，原水弁２５：開，第一補給水弁２７：開，第二補給水弁２９：開，排液弁３０：開）とを選択的に切り替える。
【００２０】
そして、前記切替弁機構３２は、特開平９−２９７１５０号公報に示される切替弁機構と同様な構造の弁であって、前記各弁２３，２５，２７，２９，３０に対応して、それぞれ、弁座，各弁座を開閉する弁体，各弁体に連結される作動杆，各作動杆を常時閉方向へ付勢するバネ手段，前記各作動杆を駆動するカム体（いずれも図示省略）を具備している。さらに、前記切替弁機構３２は、前記各カム体を連結する回転軸３３，この回転軸３３の回転位置を検出する位置検出手段３４および前記回転軸３３を回転させる駆動モータ３５などを具備している。
【００２１】
図６において、制御手段３６は、マイクロコンピュータなどからなり、前記水圧検出手段１２，前記流れ検出手段１３，前記位置検出手段３４および操作部３７の出力信号を入力し、図７および図８にその一部を示す制御手順により、前記駆動モータ３５および表示手段３８を制御する。前記駆動モータ３５は、前記制御手段３６により駆動制御され、また前記切替弁機構３２は、前記通水時の開閉状態（通水状態），前記補給水時の開閉状態（補給水状態），前記再生時の開閉状態（再生状態），前記水洗時の開閉状態（水洗状態）に切替え制御される。
【００２２】
つぎに、前記実施例における軟水器の制御方法を図１〜図８に基づいて説明する。以下の説明において、前記制御手段３６によって制御される前記駆動モータ３５の作動および前記切替弁機構３２を構成する各弁の開閉状態についての詳細な説明を省略する。また、以下の図示において、前記通水切替弁７および前記切替弁機構３２の各弁を黒く塗りつぶしているところは閉弁状態を示し、また塗りつぶしていないところは開弁状態を示している。ここにおいて、図示は省略しているが、前記実施例における軟水器は、浴室に設置された状態では、前記浴室混合栓６は開弁状態であり、またその他の各弁はすべて閉弁状態である。すなわち、図１における前記通水切替弁７において、黒く塗りつぶしていないところがあるが、これも黒く塗りつぶした状態となっている。
【００２３】
まず、通水工程について、図１に基づいて説明する。軟水器の使用者は、前記浴室混合栓６を開いた状態で、前記通水切替弁７を通水位置へ切り替える。通常、後述の水洗工程が終了すると、前記切替弁機構３２は、通水状態に制御されている。このため、原水は、前記浴室混合栓６から前記原水ライン５を通過するに際して、前記水圧検出手段１２，前記通水切替弁７，前記流れ検出手段１３を経て、前記樹脂筒１へ流入する。ここで軟水化された後、前記軟水ライン８を通過するに際して、前記浄水手段９，前記第一逆止弁１０，前記シャワーヘッド（図示省略）を経て流出する。
【００２４】
つぎに再生工程について、図２，図３，図４，図７および図８に基づいて説明する。この実施例においては、再生工程は、再生前工程としての元圧確認のための図２の補給水工程と、再生後工程としての図４の水洗工程を含んでいる。
【００２５】
まず、図７および図８のステップＳ１およびＳ２（以下、ＳＮは、ステップＳＮを意味する。）において、再生開始条件が満たされたかどうかの判定が行われる。前記再生開始条件としては、設定された再生時刻が到来したかどうかの再生時刻到来条件と、前記水圧検出手段１２による検出圧力が設定値以上有ることを検出する元圧有りの検出条件と、前記流れ検出手段１３による通水無し検出条件がある。Ｓ１において再生時刻到来条件が判定され、Ｓ２において元圧有りの条件と通水無しの条件が判定される。
【００２６】
Ｓ１にてＮＯが判定されると、通水工程を継続する。Ｓ１にて再生時刻到来がＹＥＳと判定され、かつＳ２において両条件が満たされＹＥＳと判定される，すなわち再生時刻到来条件，元圧有りおよび通水無しの３条件がすべて満たされたとき、再生開始条件が満たされたと判定し、前記制御手段３６は、前記切替弁機構３２に対して、仮の再生信号を出力して、Ｓ３の補給水工程へ移行させる。Ｓ２において、ＮＯが判定されると、再生時刻が到来しても再生前工程の補給水工程へ移行せず、後述するＳ１３の再生時刻再設定工程へ移行する。その結果、前記浴室混合栓６を閉じた状態で再生に入ることによる不都合を防止できる。
【００２７】
前記浴室混合栓６を閉じた状態で再生工程へ入ることによる不都合について説明する。仮に、前記浴室混合栓６を閉じた状態で、再生工程へ入った場合、再生初期は、前記原水タンク２および前記塩水タンク３の飽和塩水が適量ずつ流下して所定の再生が行われるが、しばらくすると、前記原水タンク２の原水がなくなり、飽和塩水のみが流下し、短時間のうちに飽和塩水は底をついてしまう。その結果、前記樹脂筒１へ塩水を所定時間供給できず、前記イオン交換樹脂を充分再生できないとともに、飽和塩水を無駄に消費してしまう。しかしながら、本実施例では、前記浴室混合栓６を閉じた状態では再生工程へ入らないので、こうした不都合を回避できる。
【００２８】
ここにおいて、前記再生時刻は、通水時間が所定時間に達したか，あるいは所定量の通水が行われたかの条件が満たされた後、１日の深夜等、特定の時間帯において前記制御手段３６により自動設定される。
【００２９】
Ｓ１３の再生時刻再設定の工程においては、設定された前記再生時刻を、翌日の再生時間帯に再設定する。この再設定された再生時刻が到来すると、Ｓ１およびＳ２において、再度、前記再生開始条件を判定し、条件が満たされると、再度の再生工程を行う。こうして、当初設定の再生時刻から長い時間をおかず、短時間のうちに再生が行われるので、長期間再生が行われないことによる前記イオン交換樹脂の能力低下と云う不都合を改善できる。
【００３０】
Ｓ３の補給水工程においては、前記切替弁機構３２を前記補給水状態（図２参照）へ切り替える。前記切替弁機構３２が補給水状態へ切替えられると、補給水工程が行われる。すなわち、原水が、前記第一流量調整手段２６の定流量制御作用によって、一定流量で前記第一補給水ライン１７を介して前記原水タンク２内へ流入する。そして、前記原水タンク２内の水位が上昇し、前記オーバーフロー部４まで達すると、原水は、前記オーバーフローライン２１を介してオーバーフローする。さらに、前記原水タンク２内の原水が、水頭圧差を利用して、前記第二補給水ライン１８を介して前記塩水タンク３へ供給される。
【００３１】
前記の補給水工程の継続中において、Ｓ４およびＳ５の判定が行われる。Ｓ４においては、原水の元圧有りと通水無しとをともに満足するかどうかを判定する。Ｓ４がＹＥＳの場合、Ｓ５へ移行して、元圧確認に要する設定時間Ｔ１（たとえば、数秒）が経過かどうかを判定する。Ｓ５の設定時間内にＳ４にてＹＥＳが判定されると、前記制御手段３６は再生信号を前記切替弁機構３２に対して出力する。そして、処理をＳ６へ移行させて、図３に示す再生工程（前記再生前工程および前記再生後工程に対して、実際に再生処理を行う再生本工程である）を設定時間Ｔ２だけ行う。ここにおいて、Ｓ２における再生信号は、再生前工程への移行のための信号と云う意味で、仮再生信号と云い、Ｓ５における再生信号は、再生本工程のための信号と云う意味で、本再生信号と云う。
【００３２】
一方、補給水工程の継続中に、Ｓ４においてＮＯが判定されると、Ｓ１３の再生時刻再設定の工程へ移行し、Ｓ５にてＮＯが判定されると、Ｓ４へ戻る。こうした補給水工程中におけるＳ４−Ｓ５−Ｓ４の繰り返しにより、つぎに述べるように、元圧有りの確実な判定を行い、前記浴室混合栓６を閉じた状態での再生による不都合を防止するように構成している。
【００３３】
すなわち、前記浴室混合栓６が閉じられた状態においては、前記浴室混合栓６と前記通水切替弁７との間に封じられた水の圧力により、元圧有りが検出される場合がある。しかしながら、前記切替弁機構３２が、図２に示す補給水状態に切り替えられるので、前記浴室混合栓６と前記通水切替弁７との間に封じられた水が、前記第一補給水ライン１７を経て前記原水タンク２へ流出する。これにより、水圧が低下し、前記水圧検出手段１２は、元圧無しを検出する。その結果、前記浴室混合栓６が閉じられていることによる元圧無しが、Ｓ４にて判定される。そして、Ｓ６の再生工程へ移行せず、Ｓ１３の再生時刻再設定の工程を経て、Ｓ１２において前記切替弁機構３２を非再生の通水工程へ切り替える。この通水工程は、前記したとおりである。このため、Ｓ２における説明と同様、前記浴室混合栓６を閉じた状態での再生による不都合を防止できる。
【００３４】
また、Ｓ５の設定時間Ｔ１内に通水有りが検出されると、Ｓ４にてＮＯが判定され、Ｓ６の再生工程へ移行せず、Ｓ１３の再生時刻再設定の工程を経て、Ｓ１２において前記切替弁機構３２を非再生の通水状態へ切り替える。
【００３５】
このように、Ｓ３，Ｓ４およびＳ５の工程を設けることにより、原水元圧有りの判定を確実に行うことができ、補給水工程を単に前記原水タンク２への給水だけでなく、元圧確認工程として位置づけている。
【００３６】
前記再生工程について、以下に説明する。Ｓ６において、前記切替弁機構３２は、図３の再生状態へ切替えられる。その結果、前記塩水タンク３内の飽和塩水が、前記飽和再生液流下ライン１４を流下する。これと同時に、前記原水タンク２内の原水が、前記原水流下ライン１５を流下することにより、前記両ライン１４，１５の合流部において、飽和塩水と原水とが混合して所定濃度の塩水となる。そして、この塩水が、前記樹脂筒１の上部から流下して前記イオン交換樹脂を再生する。再生後の塩水，すなわち再生排液は、前記再生排液ライン１９を流下し、前記のように、前記オーバーフローライン２１を流下する原水と、前記両ライン１９，２１の合流部において混合される。この結果、再生排液中の塩化物の濃度が下げられた状態で系外へ排出される。
【００３７】
前記再生工程中、一定流量の原水が、常に前記原水タンク２へ供給されるとともに、前記原水タンク２内の原水が、水頭圧差を利用して、前記第二補給水ライン１８を介して前記塩水タンク３へ供給される。
【００３８】
Ｓ６の再生工程は、Ｓ７の再生不良防止の工程およびＳ８の時間制御工程により制御される。Ｓ７の判定自体は、Ｓ４と同様であるので、説明を省略する。このＳ７の工程により、再生工程中に前記浴室混合栓６が閉じられることによる不都合および再生工程中に通水工程へ入ることによる不都合を防止する。Ｓ８では、設定時間Ｔ２が経過したかどうかを判定し、その経過を判定すると、再生を終了する。
【００３９】
この再生工程中に前記浴室混合栓６が閉じられた場合の作用について説明する。前記浴室混合栓６が閉じられると、Ｓ７にてＮＯが判定され、再生工程中に前記浴室混合栓６が閉じられることによる不都合を防止する。この不都合防止作用は、Ｓ４における説明と同様であるので、説明を省略する。
【００４０】
つぎに、再生工程中に通水工程が行われた場合の作用について説明する。前記通水切替弁７を手動切替えとしているために、使用者は、前記再生工程中に前記通水切替弁７を通水位置へ切替え可能である。この切替えを行うと、再生作動が中断されるので、前記制御手段３６は、これを再生不良として判定し、つぎの再生不良処理を行う。すなわち、前記通水切替弁７を通水位置とすると、前記制御手段３６は、前記流れ検出手段１３の流れ有り信号により、Ｓ７にてＮＯと判定し、前記のＳ１３を経てＳ１２の通水工程へ移行する。
【００４１】
再生工程中に通水工程へ切替えると、前記切替弁機構３２は再生状態のまま通水が行われることとなり、Ｓ４において説明したと同様な不都合を生じる。しかしながら、本実施例においては、こうした不都合を防止できる。また、Ｓ１３の処理を行うことで、長期間再生が行なわれないことによる前記イオン交換樹脂の能力低下と云う不都合を改善できる。
【００４２】
再生工程が終了すると、Ｓ９の水洗工程へ移行する。この水洗工程について、図４に基づいて説明する。前記制御手段３６は、前記切替弁機構３２を図４に示す水洗状態へ切り替える。その結果、前記原水タンク２内の原水のみが、前記原水流下ライン１５および前記再生液流下ライン１６を介して前記樹脂筒１の上部から流下し、前記イオン交換樹脂内に残留する塩分を押し出して水洗する。一方、前記原水タンク２からの原水のオーバーフローは、前記再生工程から継続している。したがって、水洗後の原水，すなわち排水は、前記オーバーフローライン２１を流下する原水と混合された後、前記再生排液ライン１９を介して系外へ排出される。
【００４３】
この水洗工程中は、Ｓ１０の水洗不良検出の工程およびＳ１１の時間制御工程により制御される。Ｓ１０の判定そのものは、Ｓ４およびＳ７の判定と同様であり、その説明は省略する。Ｓ１０にて、前記水圧検出手段１２による元圧無し、または前記流れ検出手段１３による流れ有りが判定されると、水洗不良として水洗工程を脱して、Ｓ１２の通水工程へ移行する。この場合、設定した再生作動を完了しているので、Ｓ１３の再生時刻再設定工程は行わない。そして、Ｓ１１にて設定時間Ｔ３の経過を判定すると、Ｓ１２の通水工程を行う。
【００４４】
つぎに、原水バイパス工程について、図５に基づいて説明する。前記通水切替弁７を原水バイパス位置に切り替えると、原水は、前記原水ライン５，前記通水切替弁７，前記原水バイパスライン１１，前記軟水ライン８を経て前記シャワーヘッド（図示省略）から流出する。前記軟水ライン８へ流入する原水は、前記第一逆止弁１０により前記樹脂筒１方向へ逆流することはない。この原水バイパス工程時、前記切替弁機構３２の切替えは、どの状態にあっても良く、再生工程，水洗工程および補給水工程のいずれかを継続しながら原水バイパスを行うことができる。
【００４５】
この発明は、前記の実施例に限定されるものではなく、つぎの実施例を含むものである。
（１）前記通水切替弁７を三方弁ではなく、二方弁，すなわち通水のオン−オフを行うものとした実施例。この場合、原水バイパス工程を行うことはできない。
（２）前記切替弁機構３２は、最低限の機能として、前記樹脂筒１の再生液の流入と、前記樹脂筒１からの流出とを切替制御する機能を有すれば良い。たとえば、前記第一補給水ライン１７の第一補給水弁２７は、前記原水タンク２への補給水を、前記原水タンク２のレベルを一定に制御する別の自動補給水機構により行うようにすれば、省略可能である。
（３）前記水圧検出手段１２による元圧検出を行わず、前記再生前工程としての補給水工程を省略した実施例。
（４）前記原水タンク２および前記塩水タンク３を前記樹脂筒１の上方に設けた実施例。
（５）前記流れ検出手段１３を前記樹脂筒１の流出側に設けた実施例。
（６）前記流れ検出手段１３を省略し、前記通水切替弁７の開閉状態（通水位置）を検出するマイクロスイッチを通水検出手段とした実施例。
（７）再生時刻以外の任意の時間に再生作動を行う手動再生手段を設けた実施例。この場合、再生工程の前に補給水工程を設け、原水の元圧有りと通水無しとを条件として、再生工程を行う。
【００４６】
【発明の効果】
以上のように、この発明によれば、通水作動と非通水作動とを手動により切り替えるので、その切替えのための電力が不要となり、省電力化できるとともに、水処理手段の軟水流出側における採水および非採水のためのコックおよび操作が不要となるなどの効果を奏する。
【図面の簡単な説明】
【図１】  この発明に係る軟水器の実施例を示す概略説明図で、通水工程を示す。
【図２】  この発明に係る軟水器の実施例を示す概略説明図で、補給水工程を示す。
【図３】  この発明に係る軟水器の実施例を示す概略説明図で、再生工程を示す。
【図４】  この発明に係る軟水器の実施例を示す概略説明図で、水洗工程を示す。
【図５】  この発明に係る軟水器の実施例を示す概略説明図で、原水バイパス工程を示す。
【図６】  この発明に係る軟水器の実施例の制御回路の概略説明図である。
【図７】  この発明に係る軟水器の実施例の制御手段の制御手順の一部を示すフローチャート図である。
【図８】  この発明に係る軟水器の実施例の制御手段の制御手順の一部を示すフローチャート図である。
【符号の説明】
１  樹脂筒（水処理手段）
２  原水タンク
３  塩水タンク（再生液供給手段）
５  原水ライン
６  浴室混合栓
７  通水切替弁（通水切替手段）
８  軟水ライン
１２  水圧検出手段
１３  流れ検出手段（通水検出手段）
１４  飽和再生液流下ライン
１５  原水流下ライン
１６  再生液流下ライン
１７  第一補給水ライン
１８  第二補給水ライン
１９  再生排液ライン
３２  切替弁機構（再生切替手段）
３６  制御手段
【図１】
0004253831.tif 000002
【図２】
0004253831.tif 000003
【図３】
0004253831.tif 000004
【図４】
0004253831.tif 000005
【図５】
0004253831.tif 000006
【図６】
0004253831.tif 000007
【図７】
0004253831.tif 000008
【図８】
0004253831.tif 000009